(57)【要約】  外科ツールを、外科ツールを操作するための駆動機構を有するハンドルに結合するためのアダプタが、提供される。アダプタは、２つの伸縮可能に連結されるセグメントを含み、第１のセグメントは、外科ツールと係合するためのものであり、第２のセグメントは、ハンドルに係合するためのものである。第１のセグメントおよび第２のセグメントは、入れ子式に収縮したとき、外科ツールをハンドル駆動機構に動作可能に結び付け、一方、ハンドルおよび／またはツールの潜在的な非滅菌領域とのユーザ接触が防止される。【選択図】  図１
2018518263.tif 000002
【特許請求の範囲】
【請求項１】
外科ツールを、前記外科ツールを操作するための駆動機構を有するハンドルに結合するためのアダプタであって、２つの伸縮可能に連結されるセグメントを含み、第１のセグメントは、前記外科ツールと係合するためのものであり、第２のセグメントは、前記ハンドルに係合するためのものであり、前記第１のセグメントおよび前記第２のセグメントを収縮することにより、前記外科ツールを前記ハンドル駆動機構に動作可能に結合する、アダプタ。
【請求項２】
前記第１のセグメントは、前記外科ツールのシャフトに係合するための第１の機構を含む、請求項１に記載のアダプタ。
【請求項３】
前記第２のセグメントは、前記駆動機構に係合するための第２の機構を含む、請求項１に記載のアダプタ。
【請求項４】
前記第１の機構および前記第２の機構は、前記第１のセグメントおよび第２のセグメントが入れ子式に収縮したとき動作可能に係合する、請求項３に記載のアダプタ。
【請求項５】
前記第１の機構および前記第２の機構は、歯車を含む、請求項４に記載のアダプタ。
【請求項６】
前記第１のセグメントおよび前記第２のセグメント間に挟み込まれる少なくとも１つのばねを更に含み、前記第１のセグメントおよび前記第２のセグメントを入れ子式に収縮する際、前記少なくとも１つのばねを押圧する、請求項１に記載のアダプタ。
【請求項７】
前記第１のセグメントは、円筒として構成され、前記第１の機構は、前記円筒の内部に配置される、請求項２に記載のアダプタ。
【請求項８】
前記第２の機構は、モータの駆動シャフトに係合するために構成される、請求項３に記載のアダプタ。
【請求項９】
前記外科ツールは、偏向可能なシャフトを含み、前記第１の機構は、前記駆動機構の運動を前記シャフトの偏向へ伝達するために構成される、請求項２に記載のアダプタ。
【請求項１０】
前記第１のセグメントに係合されたとき前記外科ツールのタイプ分けを可能にするための識別モジュールを更に含む、請求項１に記載のアダプタ。
【請求項１１】
入れ子式に収縮した状態の前記第１のセグメントおよび前記第２のセグメントをロックするためのロック機構を含む、請求項１に記載のアダプタ。
【請求項１２】
前記第１のセグメントおよび／または前記第２のセグメントは、前記ツールおよび／または前記ハンドルの潜在的な非滅菌領域をカバーするように構成される、請求項１に記載のアダプタ。
【請求項１３】
外科ツールを、前記外科ツールを操作するための駆動機構を有するハンドルと嵌合させるためのシステムであって、
（ａ）第１のハンドルセグメントが前記ハンドルに係合するためのものである、２つの伸縮可能に連結されるセグメントを含むハンドルアダプタと、
（ｂ）第１のツールセグメントが前記ツールに係合するためのものである、２つの伸縮可能に連結されるセグメントを含むツールアダプタと、を含み、
前記ハンドルアダプタおよび前記ツールアダプタは、前記ハンドルアダプタおよび前記ツールアダプタが入れ子式に収縮したとき結合され、前記外科ツールを前記ハンドルの駆動機構に動作可能に結び付け、一方、前記外科ツールと前記ハンドルとの接触は、防止される、システム。
【請求項１４】
前記第１のツールセグメントおよび／または前記第１のハンドルセグメントは、前記ツールおよび／または前記ハンドルの潜在的な非滅菌領域をカバーするように構成される、請求項１３に記載のシステム。
【発明の詳細な説明】
【技術分野】
【０００１】
本発明は、医療デバイスを機能上滅菌するために使用することができ、したがって、そのようなデバイスを滅菌の対象にすることなくその繰り返しの使用を可能にするアダプタまたはアダプタシステムに関する。
【背景技術】
【０００２】
電気モータおよび部品を利用するデバイスは、医学の技術分野でよく知られている。そのようなデバイス、特に、その電気部品は、それらの複雑さや滅菌剤または滅菌状態に対して敏感であるために、滅菌することが困難な場合がある。幾つかのモータ式／電気式のデバイスは、公知の滅菌プロセスを用いて滅菌される場合があるが、そのようなデバイスを滅菌に繰り返し晒すことは、電気部品や機械部品を損傷させるリスクを増大する。そのようなデバイスは、個々の使用に先立って滅菌しなければならないので、そのようなデバイスを用いて実行できる手順の数は、それが耐えることのできる滅菌サイクルの数によって制限されることがある。加えて、滅菌に適したデバイスの機械設計は、嵩張り、高価になり、複雑になることがあるシールを必要とする。
【発明の概要】
【発明が解決しようとする課題】
【０００３】
そのようなデバイスを滅菌の対象にすることなく非滅菌デバイス部品を機能上滅菌することのできるアプローチの必要性がある。
【課題を解決するための手段】
【０００４】
本発明は、非滅菌医療デバイス部品を機能上滅菌するためのデバイスを提供し、一方、滅菌および非滅菌のデバイス部品の結合を可能にすることによって、現在公知の構成の欠点にうまく対処する。
【０００５】
別段の規定がない限り、本明細書で使用する技術用語および科学用語の全ては、本発明の属する技術分野の当業者によって通常理解されるものと同じ意味を有する。本明細書で説明するそれらと同様もしくは等価な方法および材料が本発明の実施または試験で使用される場合があるが、適切な方法および材料については、下で説明される。矛盾がある場合、本特許明細書が、定義を含めて優先することになる。加えて、材料、方法、および例は、単なる例証であり、限定することを意図していない。
【０００６】
本発明は、添付図面を参照して、単なる例として、本明細書で説明される。図面についてここに詳細に特に参照して、示した詳細は例示的なものであり、また、本発明の好適な実施形態の例証的議論の目的のためのみであり、最も有用であると信じられるものと本発明の原理および概念的態様の容易に理解される説明とを提供する目的のために提供されることが強調される。この点について、本発明の基礎的理解のために必要なものより詳細な本発明の構造的な詳細を示そうとはされておらず、図面と共に採用される説明は、どのように本発明の幾つかの形態が実施で具体化されることがあるかについて当業者にとって明らかにしている。
【図面の簡単な説明】
【０００７】
【図１】本アダプタの部品の分解図である。
【図２】図１の組み立てたアダプタの側面図である。
【図３】アダプタの両セグメントの駆動シャフトアクセス穴を示す本アダプタの等角図である。
【図４】ハンドルの駆動機構部分への本アダプタの結合を示す図である。
【図５ａ】駆動機構上に実装されたアダプタへのツールシャフトの結合を示す図である。
【図５ｂ】駆動機構上に実装されたアダプタへのツールシャフトの結合を示す図である。
【図５ｃ】駆動機構上に実装されたアダプタへのツールシャフトの結合を示す図である。
【図５ｄ】外科ツールの歯車ハウジングを示す図である。
【図６】本発明の教示に従って構築されたアダプタシステムを示す図であって、キャップの付いたおよび付いていないハンドルを（それぞれ）示す図である。
【図７】本発明の教示に従って構築されたアダプタシステムを示す図であって、本アダプタシステムのハンドルおよび外科ツール部品を示す図である。
【図８】本発明の教示に従って構築されたアダプタシステムを示す図であって、外科ツールアダプタ（図８ａ〜ｂ）の滅菌カバー機構部分と下に横たわるシャフトコネクタ（図８ｃ）を詳細に示す図である。
【図９】ツール歯車ハウジングが駆動ハンドルに連結されている間の外部カバーの収縮を示す図である。
【図１０】ハンドル駆動機構に連結されたツールを示す切断図である。
【図１１】本発明の教示に従って構築されたハンドルアダプタを示す図である。
【図１１ｆ】ハンドルに取り付けられ（左）および外科ツールに連結される（右）図１１のアダプタを示す図である。
【発明を実施するための形態】
【０００８】
本発明は、非滅菌の医療デバイスを機能上滅菌するために使用することができるアダプタである。特に、本発明は、ユーザがモータおよび電気部品／機械部品を含む医療デバイスの潜在的な非滅菌領域と接触するのを防止するために使用することができ、そのようなデバイスを機能上滅菌する。
【０００９】
本発明の原理および動作は、図面および添付の説明を参照して、より良く理解できる。
【００１０】
本発明の少なくとも１つの実施形態を詳細に説明する前に、本発明がその用途において以下の説明に記載されまたは図面に図解された部品の構成および配置の詳細に限定されないことを理解されたい。本発明は、他の実施形態にすることができ、あるいは、様々なやり方で実施または実行することができる。同じく、本明細書で採用されている語法および用語が、説明の目的のためのものであり、限定と考えるべきではないことを理解されたい。
【００１１】
機械部品および／または電気部品を含む複雑な医療デバイスの滅菌を繰り返す問題は、当技術分野でよく知られている。本発明を実施しながら、本発明者は、電気的／機械的なデバイス部分（例えば、駆動機構を含むデバイスハンドル）の潜在的な非滅菌領域をカバーすることのできるアダプタを提供することによって、同時に、そのような電気的／機械的なデバイス部分に取り付け自在である滅菌の使い捨ての部品に対するインターフェースを提供することによって、そのような問題の解決策を案出した。このように、本発明は、滅菌状態の下で非滅菌の部品を含むデバイスの使用を可能にする。
【００１２】
本明細書で更に説明するように、本発明は、非滅菌デバイス部分（例えば、モータ式のハンドル）を滅菌部分（例えば、腹腔鏡シャフト）に結合することを可能にするアダプタを含み、非滅菌部分によって汚染されずに２つの連結されるデバイス部分を用いて外科医が安全に作業するのを可能にする。加えて、本アダプタは、外科医が、デバイスの非滅菌領域に晒すことなく駆動ハンドルを腹腔鏡シャフトから接断すること、および、スタッフや環境を汚染させる恐れなく何度も同じ手順でツールおよびハンドルを再利用すること、を可能にする。
【００１３】
このように、本発明の１つの態様に従って、外科ツールを、外科ツールを操作するための駆動機構を有するハンドルに結合するためのデバイスが提供される。外科ツールの例は、内視鏡／腹腔鏡シャフト、捕捉器具またはモノポーラフックあるいは切断要素を備えたバイポーラジョー付きツールを含む。外科ツールは、単純な真っ直ぐな捕捉器具またはカッタである場合があり、あるいは、偏向可能なシャフトを含む場合がある。ハンドルは、手動もしくはモータ式の駆動機構および関係するインターフェースならびに外部のデバイス（例えば、流体源、モニタ、ジアテルミ制御デバイスまたは任意の他のコンピュータ式のデバイス）とのインターフェースとなるための他の部品を具備する制御ハンドルである場合がある。一般に、外科ツール部分は、身体の内側で操作され、一方、ハンドル部分は、身体の外側で操作される。
【００１４】
１つの実施形態では、本デバイス（本明細書では、「アダプタ」とも呼ぶ）は、２つの伸縮可能に連結されるセグメントを含む。第１のセグメントは、外科ツールと係合するために構成され、第２のセグメントは、ハンドルに係合するために構成される。第１のセグメントおよび第２のセグメントは、収縮（一方が他方の内側に）されたときに、外科ツールとハンドル駆動機構の間の動作可能な連結を可能にする。
【００１５】
加えて、収縮されたときに、セグメントは、ハンドルを外科ツールに結合する非滅菌領域の周りにカバーを形成する、すなわち、非滅菌であるハンドル部分は、アダプタの内部に取り入れられ、ハンドル駆動機構が外科ツールのシャフトに直接接触する場合があるが、オペレータや環境には晒されず、こうして、環境やオペレータを汚染させる恐れがない。更にまた、シャフトをハンドルから非係合にすることにより、カバーされる外科ツールの潜在的に汚染されまたは汚染の可能性のある部分がそのままにされ、こうして、ユーザおよび環境が、外科ツールの潜在的に汚染される領域との接触から保護される。
【００１６】
本発明の他の実施形態では、２つのアダプタが機能上の滅菌のために使用され、第１のアダプタは、ハンドルに連結され、第２のアダプタは、外科ツールに連結される。
【００１７】
このように、本発明は、環境や使用者を汚染する不安を伴うことなく、非滅菌の部品の使用を可能にする。
【００１８】
さて、図面を参照すると、図１から５ｃは、本明細書でアダプタ１０と呼ぶ本デバイスの実施形態を示す。
【００１９】
アダプタ１０は、２つの入れ子式に収縮可能なセグメント１２を含み、第１の（ツール）セグメント１４は、外科ツールに結合可能であり、第２の（ハンドル）セグメント１６は、ハンドルに結合可能である。
【００２０】
図１は、アダプタ１０の分解図であり、セグメント１４および１６の間の関係を示している。セグメント１４は、ばね力に逆らってセグメント１６の中へのセグメント１４の圧縮を可能にするための１つ以上のばね１８（３つ図示）を含む。ばね１８は、閉じた（動作中）位置に収縮されたときにセグメント１４および１６の自動的な伸縮状態への復帰を容易にする。セグメント１４は、組み立ておよび分解のサイクルを通してセグメント１４および１６の伸縮移動を案内するための、ピン２４が嵌合されるロッド２２も含む。ばね１８およびロッド２２は、セグメント１６の穴２０の中に嵌合する。ピン２４は、セグメント１６の案内溝２６の中に嵌合する。
【００２１】
セグメント１４および１６は、周方向の突出部２８および３０も（それぞれ）含む。突出部２８は、セグメント１６を電気機械デバイスの開口にロックし、カバーされた非滅菌領域に対してセグメント１６が動かないことを確実にする。突出部３０は、セグメント１４および１６０の間の正確な配向を確実にして、突出部２８が正しいロック位置になることを確実にする。
【００２２】
組み立てたアダプタ１０は、図２に側面図で示される。セグメント１４の底部とセグメント１６の底部の間の開いた（非作用の）距離は、「ｈ」で示されている。
【００２３】
セグメント１４および１６は、ポリマーや合金、あるいは、オートクレーブまたは他の滅菌アプローチを介して滅菌することのできる任意の材料、から製作される場合がある。セグメント１４および１６は、円筒状に、あるいは、機能上適した任意の他の形状に、形状付けされる場合がある。セグメント１４および１６はそれぞれ、直径（Ｄ）が１０〜６０ｍｍ、高さ（Ｈ）が１０〜４０ｍｍである場合がある。突出部２８と突出部３０の間の距離は、アダプタが開いているとき、１０〜４０ｍｍになる場合がある。閉じているとき、セグメント１４の底部とセグメント１６の底部は、典型的には、相互に接触することがある。
【００２４】
セグメント１４を電気機械デバイスの開口にロックする電気機械デバイスの開口の溝に嵌合する部分１６の突出部２８などのカプラを用いて、セグメント１４および１６は、個々がツールおよびハンドルに（それぞれ）結合され、セグメント１４は、カバーされる非滅菌領域に対して確実に動かなくされる。
【００２５】
図４ａ〜図４ｂは、アダプタ１０（開いた非収縮の状態）のハンドル（電気機械デバイス）に対する結合を示す。簡潔さと明瞭さのために、ハンドルの駆動部分だけを示す。セグメント１６は、セグメント１４をセグメント１６の中に収縮させることなく、駆動機構３４に結合される。これによって、ハンドルの駆動機構３４の内側部分が環境に晒されるのが防止される。駆動機構３４がセグメント１６に一度連結されると、外科ツール３６（例えば、腹腔鏡捕捉器具）は、セグメント１４の中に嵌合され、セグメント１４および１６は、圧縮（圧潰）されて、駆動機構３４を外科ツール３６のシャフト３８の歯車ハウス４３に、図３に示す穴３２を通して結合する。キャップ４０は、外科ツール３６のシャフト３８に嵌合し、その後は、（ロックピン付きスクリュキャップを用いて）セグメント１４および１６を圧縮（動作）状態にロックするために使用される。
【００２６】
図５ａに示すように、外科ツール３６は、ハンドル駆動機構の運動を、シャフト３８およびそれに連結された外科デバイス（例えば、捕捉器具）の運動に、変換するための歯車機構４３を含む。歯車機構については、図５ｄを参照して下でより詳細に説明する。
【００２７】
アダプタ１０が図５ｂ〜図５ｃに示すように収縮（閉じる）されて固定されると、ハンドル駆動機構（駆動シャフト）は、アダプタ１０と歯車機構４３のハウジングの穴３２を通して、外科ツール３６の歯車機構４３と係合する。潜在的に汚染されるハンドルの駆動機構は、滅菌のシャフト部分に接触するが、シャフトのこの部分は、アダプタ１０の内部に隔離され、こうして、外科手順の間、オペレータ（外科医）または環境に晒されることはない。シャフト３８をハンドル駆動機構（およびハンドル）から非係合にするために、キャップ４０は、閉鎖とは反対の方向に回される。
【００２８】
キャップ４０が開くと、セグメント１４および１６は、依然としてアダプタ１０の内部で保護されながら、入れ子式に強制的に押し離され、歯車機構４３を、ハンドル駆動機構の任意の汚染される部分から離して保持する。
【００２９】
図５ｄは、収縮可能な部分４２および４４から形成される歯車ハウジング４３を示す。部分４２は、モータ（ハンドル内部）の回転をシャフト３８およびシャフト先端（およびツール）の運動に変換させる。ハウジングの部分４４は、部分４２の内部を摺動する。１つ以上のばね５０（１つ図示）は、ハウジング４３が部分４４を部分４２の中に押し込むことによって入れ子式に収縮されたときに、圧縮される。ばね５０の張力は、ロック機構が解放されるとき、ハウジング４３の入れ子式の拡大を可能にする。セグメント４４は、部分４２および４４の伸縮移動を案内するためのピン２４が嵌合されるロッド溝も含む。ばね５０およびロッド２２は、部分４４の穴（図示せず）の中に嵌合する。ピン２４は、部分４４の案内溝の中に嵌合する。ツールをハンドルの駆動機構に結合するために、ユーザは、ハウジング４３の部分４４を、ハンドルに連結されるアダプタ１０のセグメント１４の中に嵌合させる。
【００３０】
連結時に部分４４は、駆動機構（駆動シャフト）が、アダプタ１０の穴３２（図３）を通して、また、ハウジング４３の部分４４の穴４６を通して、外科ツールのシャフト３８の近位部分に係合するのを可能にする。
【００３１】
部分４４がアダプタ１０のセグメント１４から非係合にされると、入れ子式に（ばね５０によって）伸長させられて、部分４４を、潜在的に汚染される部分４２の内側領域から離して保持する。こうして、駆動機構に晒されるシャフト３８の領域は、アダプタ１０によって保護され、その間、シャフト３８は、セグメント４４によって保護される。
【００３２】
外科ツールのハウジング４３は、外科ツールがハンドル駆動装置と係合するときに活動化され得る電子回路（またはチップ）を含む場合がある。活動化は、直接接触または無線によって誘因されることがある。回路／チップ上に記憶されるデータは、外科ツールおよびその製造者の証明のために、また、ツールを使用した手順の数および／またはツールもしくはその部品のどれをも使用した時間の量を計数するために、使用されることがある。
【００３３】
追加のデータは、移動範囲、各モータの最大電流、全体デバイスの最大電流、移動の速度等々などの活動化のツールパラメータと呼ぶ場合がある。
【００３４】
回路／チップは、ツールがハンドルから非係合にされたとき、各モータの位置に関係する情報を記憶する場合もある。これによって、外科医は、どんなキャリブレーションの必要性も、ツールとの係合または非係合の前にツールを「ホーム位置」にリセットする必要性もなしで、ツールを変えることができる。
【００３５】
本発明は、ハンドルを外科ツールに結合するための一方がハンドルに嵌合され他方が外科ツールに嵌合される２つのアダプタの使用も包含する。
【００３６】
そのような２つのアダプタシステムは、両デバイス部品を結合させ、それによって、相互に接断されるときでさえ、機能上滅菌することになる。
【００３７】
ユーザは、入れ子式に収縮した２つのアダプタを結合してロックする場合があり、ハンドルをツールに動作可能に係合させる。分解時に両デバイス部品（ハンドルおよびツール）の潜在的に汚染される領域は、それらのそれぞれの（取り付けられた）アダプタによってカバーされたままである。こうして、このアダプタシステムは、両デバイス部品が滅菌されてそれ故に手順全体にわたって何度でも組み立ておよび分解を可能にするかのように、ユーザがデバイスシャフトまたはハンドルを使用および記憶するのを可能にする。
【００３８】
本発明は、上で説明したアダプタ１０と共に使用するために構成されたツールシャフトアダプタの使用も包含する。図６ａ〜図１０は、本明細書ではアダプタ１００と呼ぶシャフトアダプタの１つの実施形態を示す。
【００３９】
アダプタ１００は、ツールシャフトを露出から保護する点で機能し、一方で、上で説明したように、すなわち、それ自体に基づいて機能しているように、ハンドルに取り付けられるアダプタ１０との結合を可能にする。
【００４０】
図６ａは、上部開口をカバーするキャップ７８が嵌合されたハンドル７４アダプタを示す。これによって、モータや電気回路のような敏感な部品を潜在的に有害な環境や材料に晒すことなく、オートクレーブまたはＥＴＯなどの滅菌プロセスを使用することができる。図６ｂは、キャップ７８が取り外されて外科ツールに対する結合の準備ができているハンドルアダプタ７４を示す。
【００４１】
図７は、外科ツールが駆動ハンドルに連結されていないが、アダプタ１００の外部の部品を示し、可撓性カバー１３２は、伸展されて、外科ツールの、内側の近位部分、すなわち、歯車ハウジング、をカバーしている。
【００４２】
アダプタ１００は、滅菌外科ツールから駆動ハンドルの汚染される開口を通して直接モータ（または電気コネクタなどの他の部品）までの結合を可能にして、外科医およびスタッフがハンドルおよび連結されるツールを滅菌ユニットとして使用できるようにする。アダプタ１００が非係合であるとき、両外科ツールおよびハンドルは、汚染から、また、環境や外科スタッフを汚染させることから、保護される。
【００４３】
図７に示されているように、アダプタ１００の３つの主要部品は、ハンドルに対するアダプタ１００の連結部品として使用される近位リング９０と、可撓性エンベロープ９８の中に一体化されるばね９１から構成される可撓性スリーブ９９と、外科ツール（本図に示さず）の歯車ハウジングの頂部として働く遠位ベース９２と、である。
【００４４】
図７は、外科ツールをハンドルに固定するキャップ１４０も示す。
【００４５】
図８ａは、アダプタ１００の他の図を示す。ハンドルに対する連結部品として働く近位リング９０は、ユーザがアダプタをハンドルの開口の中に更に押し込むのを防止する停止リングとして働く肩部９５を有する。
【００４６】
適合リング９７は、アダプタ１００と駆動ハンドル開口の間の正確な連結を確実にするための配向溝９３を有する。図８ｂは、歯車ハウジングを取り入れるリング９７と、それを配向するロッド８９の切断図である。同じく示されているのは、歯車ハウジング１１０と、開口９６に位置する連結歯車ヘッド１０５である。図８ｃは、近位リング９０と、ハウジング１１０と、それらの部品間の関係を示すために、スリーブ９９が取り外されたアダプタ１００を示す。リング９０の配向ロッド８９は、図示されており、ハウジング１１０の溝１４４および１４１は、ロッド８９を受け入れる。リング９０は、溝９３を使用することによって、駆動ハンドルに対する正確な配向に保持され、一方、配向ロッド８９を用いて、歯車ハウジングを正確な配向に保持する。リング９０の内径は、駆動ハンドル開口の内径よりも小さく、歯車ハウジングが駆動ハンドルの開口の潜在的に汚染される内側表面に接触するのを防止する。
【００４７】
図９は、２つの状態のアダプタを示す。カバーする状態（左のイメージ）では、スリーブ９９は、伸展されて、ハウジング１１０をカバーし、ハウジング１１０との接触を排除し、圧縮される状態（右のイメージ）では、外科ツールのハウジング１１０を露出させることにより、ハンドルの駆動機構に係合させることができる。
【００４８】
図１０は、組み立てたハンドル−アダプタシステム−外科ツールを示す切断図である。ハンドル７４の駆動シャフト１０４は、開口９６を介してハウジング１１０の中に挿入され、外科ツールの歯車１０５に直接係合する。ハウジング１１０は、ハンドル７４の開口の底にも内側表面にも接触しない。スリーブ９９は、収縮して、外科ツールをハンドルに固定するキャップ４０の下に隠れる。
【００４９】
本発明は、ハンドルと共に使用するためのアダプタも包含する。そのようなハンドルアダプタの実施形態は、図１１ａ〜図１１ｆに示されており、本明細書ではアダプタ２１０と呼ぶ。
【００５０】
図１１ａは、セグメント１４および１６０間の関係を示すアダプタ２１０の等角図である。セグメント１４は、ばね力に逆らってセグメント１６０の中へのセグメント１４の入れ子式の圧縮を可能にするための１つ以上のばねを含む。ばねは、圧縮した状態から解放されるときにアダプタ２１０の自動的な入れ子式の拡大を容易にする。
【００５１】
図１１ｂに示すように、アダプタ１６０は、ハンドル駆動機構３４（駆動機構３４とも呼ぶ）の周りのシールされた区画として設計される。
【００５２】
駆動機構３４が、アダプタ２１０に結合されるとき、セグメント１６０のピンは、セグメント１６０とハンドル駆動装置３４の間の正確な配向を維持する。
【００５３】
図１１ｃに示すように、セグメント１６０の内側壁は、配向溝１５１およびロック溝１５２を含む。これらの溝は、駆動機構３４がセグメント１６０内部でロックしてシールするのを可能にする。駆動機構３４は、電気式または機械式のコネクタ１５３を包含することがある。駆動機構３４をセグメント１６０の中にロックするとき、コネクタ１５３は、駆動機構３４（および取り付けられたハンドルインターフェース）が、アダプタ２１０に連結される外科ツールを制御するのを可能にする。
【００５４】
図１１ｄは、アダプタ２１０に結合するより前のハンドル１７０（駆動機構３４を支持する）を示す。凹所１５１ａは、セグメント１６０に対してハンドル１７０を配向するために使用される。ロックリング１７１は、セグメント１６０の溝１５２を用いて、ハンドル１７０をアダプタ２１０に固定する。ハンドル１７０およびセグメント１６０が結合されるとき、電気的なコネクタ１５３および１５３ａは、接触して、駆動機構３４に全体にわたる制御を可能にする。ユーザは、電気スイッチ１７３または機械式アクチュエータ（図示せず）を介して、デバイスを制御する。
【００５５】
図１１ｅは、アダプタ２１０のセグメント１６０に係合するハンドル１７０を図解する。
【００５６】
図１１ｆは、外科ツールと結合する前（左のイメージ）の、また、次の外科ツールと結合（右のイメージ）している、ハンドル１７０およびアダプタ２１０を図解する。
【００５７】
アダプタ２１０のセグメント１４および１６０は、周方向の突出部２８および３０を（それぞれ）含む。突出部２８は、セグメント１６０を電気機械デバイスの開口にロックし、カバーされた非滅菌領域に対してセグメント１６０が動かないことを確実にする。突出部３０は、セグメント１４および１６０の間の正確な配向を確実にして、突出部２８が正しいロック位置になることを確実にする。
【００５８】
本明細書で使用するとき、用語「約」は、±１０％を指す。
【００５９】
本発明の或る特徴が、分かり易くするために、別個の実施形態との関連で説明されるが、単一の実施形態でコンビネーションで提供されることもあることを理解されたい。反対に、本発明の様々な特徴は、分かり易くするために、単一の実施形態との関連で説明されるが、別々にあるいは任意の適切なサブコンビネーションで提供されることもある。
【００６０】
本発明を、その特定の実施形態と併せて説明してきたが、多くの代替例、修正例および変形例が当業者には明らかであることは明らかである。したがって、添付の特許請求の範囲の精神および広義の範囲の範囲内に属する代替例、修正例および変形例の全てが包含されることが意図されている。
【００６１】
全ての刊行物、本明細書で言及した特許および特許出願は、各個別の刊行物、特許または特許出願がここに参照によって組み込まれると具体的に個別に示されたのと同じ程度で、ここにその全体について参照によって本明細書中に組み込む。加えて、本出願の任意の参照の引用または識別については、そのような参照が本出願に対する従来技術として利用できることの是認であると解釈しないものとする。
【図１】
2018518263.tif 000003
【図２】
2018518263.tif 000004
【図３】
2018518263.tif 000005
【図４】
2018518263.tif 000006
【図５ａ】
2018518263.tif 000007
【図５ｂ】
2018518263.tif 000008
【図５ｃ】
2018518263.tif 000009
【図５ｄ】
2018518263.tif 000010
【図６】
2018518263.tif 000011
【図７】
2018518263.tif 000012
【図８】
2018518263.tif 000013
【図９】
2018518263.tif 000014
【図１０】
2018518263.tif 000015
【図１１】
2018518263.tif 000016
【図１１ｆ】
2018518263.tif 000017
【国際調査報告】
2018518263.tif 000018